(57)【要約】      （修正有）【課題】構造が簡単で水密効果を有し、使用と収納の利便性、美観性を兼ね備えたエア充填式防水板を提供する。【解決手段】エア充填式防水板は、端板２１と端板に設けられる環状側板２２とを含み、板体に空気注入口２３を開設し、環状側板は丸まった角２２１を備え、端板がコーナー部２１１を備え、丸まった角とコーナー部の位置とが互いに対応し、コーナー部に案内溝２１２を開設する板体２と、コーナー部の位置とが互いに対応すると共に輪郭が丸まった角に対応し、且つ環状側板上に構設されるアングルプレート４０と、輪郭が丸まった角に対応するよう隣接し、端板とアングルプレートの間に挟設され、且つ案内部材４１により案内溝に摺動可能に設けられる封止部材４と、環状側板の少なくとも１つの部分に周設され、インナー通路３１とインナー通路に気体連通する給気口３２と排気口３３とを含み、給気口が空気注入口に対応する可撓性シール材３と、を含む。【選択図】図２
0003199920.tif 000002
【実用新案登録請求の範囲】
【請求項１】
端板と環状側板とを含み、前記環状側板が前記端板に設けられ、板体に空気注入口を開設し、前記環状側板は少なくとも１個の丸まった角を備え、前記端板が少なくとも１個のコーナー部を備え、且つ前記少なくとも１個の丸まった角と前記少なくとも１個のコーナー部の位置とが互いに対応し、前記少なくとも１個のコーナー部に少なくとも１個の案内溝を開設する板体と、
前記少なくとも１個のコーナー部の位置とが互いに対応すると共に輪郭が前記少なくとも１個の丸まった角に対応し、且つ前記環状側板上に構設される少なくとも１個のアングルプレートと、
その輪郭が前記少なくとも１個の丸まった角に対応するよう隣接し、また前記端板と前記少なくとも１個のアングルプレートの間に挟設され、且つ少なくとも１個の案内部材により前記少なくとも１個の案内溝に摺動可能に設けられる少なくとも１個の封止部材と、
前記環状側板の少なくとも１つの部分に周設され、インナー通路と給気口と排気口とを含み、前記給気口と前記排気口が前記インナー通路に気体連通し、且つ前記給気口が前記空気注入口に対応して気体連通する可撓性シール材と、
を含むことを特徴とするエア充填式防水板。
【請求項２】
前記端板は、少なくとも１個のリブを形成することを特徴とする請求項１に記載のエア充填式防水板。
【請求項３】
前記空気注入口が、前記環状側板に開設されることを特徴とする請求項１に記載のエア充填式防水板。
【請求項４】
前記板体は、収容空間を有することを特徴とする請求項１に記載のエア充填式防水板。
【請求項５】
少なくとも１個のエアーボンベを更に含み、且つ前記少なくとも１個のエアーボンベが前記収容空間に置かれることを特徴とする請求項４に記載のエア充填式防水板。
【請求項６】
前記板体には把持用開口部を開設することを特徴とする請求項１に記載のエア充填式防水板。
【請求項７】
圧力計を更に含み、且つ前記圧力計が、前記環状側板に設けられると共に前記インナー通路に気体連通することを特徴とする請求項１に記載のエア充填式防水板。
【請求項８】
キャップを更に含み、前記キャップが前記空気注入口を覆うことを特徴とする請求項１に記載のエア充填式防水板。
【請求項９】
前記環状側板上に構設される少なくとも１個の飾り板を更に含むことを特徴とする請求項１に記載のエア充填式防水板。
【考案の詳細な説明】
【技術分野】
【０００１】
本考案は、エア充填式防水板に関し、特に、構造が簡単で水密効果を奏することができ、使用と収納の利便性、美観性を兼ね備え、使用においても機能性を増すことのできるエア充填式防水板に関する。
【背景技術】
【０００２】
容易に冠水する地域において、人々は防水板を準備して住宅の玄関口に置くことで、冠水時が住宅に浸水して損害をもたらすことを防止する。
【０００３】
図１を参照すると、従来の防水板の使用状態を示す模式図である。図１内に示されている従来の防水板９は、住宅の玄関口に置かれていることで、住宅への浸水を止める。
【０００４】
図１に示すように、従来の防水板９は、防水板フレーム９１と組み合わせて使用する必要があり、つまり住宅の玄関口の両側に防水板フレーム９１を固装してから防水板９を防水板フレーム９１に嵌め込む。
【考案の概要】
【考案が解決しようとする課題】
【０００５】
しかしながら、上記従来の防水板９は、使用においてやはり欠点がある。つまり（ａ）防水板フレーム９１を組み合わせて使用する必要があり、且つ防水板９と防水板フレーム９１の接触面が平坦であることで水密の要求を満たすことができる。（ｂ）上記の続き、接触面を平坦にしようとする場合、加工上においても比較的手間がかかる。（ｃ）防水板９が防水板フレーム９１にはめ込んだ後、防水板９と防水板フレーム９１の間を密着当接させ複雑なパッキング手段が必要とすることで水密の要求を満たすことができる。（ｄ）防水板フレーム９１は、住宅の玄関口の両側に固定されなければならないため、据付上、比較的手間がかかる。（ｅ）上記の続き、固定式据付を用いると、空間をとってしまい、美観を壊し、且つ人々の出入りにも不便である。及び、（ｆ）防水板９は、防水という単一の特殊機能のみがあり、使用上制限を受けてしまう。
【０００６】
よって、やはり上記従来の防水板９の欠点を改善できる新規構造の設計が必要とされてきた。
【０００７】
本考案は、従来の問題点に鑑み、鋭意研究を重ねた結果、以下の発明を完成するに至った。
【課題を解決するための手段】
【０００８】
本考案のエア充填式防水板は、板体と少なくとも１個のアングルプレートと少なくとも１個の封止部材と可撓性シール材とを含む。
【０００９】
該板体は、端板と環状側板とを含み、且つ該環状側板が該端板に設けられ、該板体に空気注入口を開設し、該環状側板は少なくとも１個の丸まった角を備え、該端板が少なくとも１個のコーナー部を備え、且つ該少なくとも１個の丸まった角と該少なくとも１個のコーナー部の位置とが互いに対応し、該少なくとも１個のコーナー部に少なくとも１個の案内溝を開設する。該少なくとも１個のアングルプレートと該少なくとも１個のコーナー部の位置とが互いに対応すると共に輪郭が該少なくとも１個の丸まった角に対応し、且つ該少なくとも１個のアングルプレートが該環状側板上に構設される。該少なくとも１個の封止部材は、その輪郭が該少なくとも１個の丸まった角に対応するよう隣接し、また該端板と該少なくとも１個のアングルプレートの間に挟設され、且つ該少なくとも１個の封止部材は少なくとも１個の案内部材により該少なくとも１個の案内溝に摺動可能に設けられる。該可撓性シール材は、該環状側板の少なくとも１つの部分に周設され、インナー通路と給気口と排気口とを含み、該給気口と該排気口が該インナー通路に気体連通し、且つ該給気口が該空気注入口に対応して気体連通する。
【００１０】
上記構造を介することで、構造が簡単で水密効果を有し、使用と収納の利便性、美観性を兼ね備え、使用においても機能性を増すという目的を達成できる。
【００１１】
言い換えると、上記エア充填式防水板は、次の効果を有する。（ａ）防水板フレームを必要とせずとも水密効果を奏することができる。（ｂ）防水板フレームを必要としないため、迅速に据え付けて使用できる。（ｃ）可撓性シール材に空気を注入して膨張させることにより不陸箇所に埋め込んで水密効果を奏することができる。（ｄ）可撓性シール材に空気を注入して膨張させることにより水密効果を奏することができ、複雑なパッキング手段を必要としない。（ｅ）エア充填式防水板は、例えば子供、ペットの防護安全ドアといった他の用途にも使用できる。（ｆ）必要がある時に据え付けて使用できるため、スペースを取らず、出入りも便利である。及び、（ｇ）使用しない時、収納が便利で、且つデザインが美観で、装飾品とすることもでき、例えば壁掛装飾品である。
【００１２】
上記端板は、少なくとも１個のリブを形成する。
【００１３】
上記空気注入口が、該環状側板に開設される。
【００１４】
上記板体は、収容空間を有する。
【００１５】
上記構造は、少なくとも１個のエアーボンベを更に含み、且つ該少なくとも１個のエアーボンベが該収容空間に置かれる。
【００１６】
上記板体には把持用開口部を開設する。
【００１７】
上記構造は、圧力計を更に含み、且つ該圧力計が、該環状側板に設けられると共に該インナー通路に気体連通する。
【００１８】
上記構造は、キャップを更に含み、該キャップが該空気注入口を覆う。
【００１９】
上記構造は、該環状側板上に構設される少なくとも１個の飾り板を更に含む。
【考案の効果】
【００２０】
上記構造を介することで、構造が簡単で水密効果を有し、使用と収納の利便性、美観性を兼ね備え、使用においても機能性を増すという目的を達成できる。
【図面の簡単な説明】
【００２１】
【図１】従来の防水板の使用状態を示す模式図である。
【図２】本考案の好ましい実施例１の分解図である。
【図３】本考案の好ましい実施例１の立体図である。
【図４】本考案の好ましい実施例１の使用状態を示す模式図である。
【図５】本考案の好ましい実施例１に係る可撓性シール材に空気を注入して膨張した様子を示す模式図である。
【図６】本考案の好ましい実施例１の備え付け様子を示す模式図である。
【図７】本考案の好ましい実施例２の使用状態を示す模式図である。
【図８】本考案の好ましい実施例３の使用状態を示す模式図である。
【考案を実施するための形態】
【００２２】
同時に図２及び図３を参照すると、図２は本考案の好ましい実施例１の分解図で、図３が本考案の好ましい実施例１の立体図である。図２及び図３内には、エア充填式防水板１が示され、且つこのエア充填式防水板１は板体２と可撓性シール材３とを含む。
【００２３】
図に示すように、板体２は端板２１と環状側板２２とを含み、且つ環状側板２２が端板２１に設けられ、板体２に空気注入口２３を開設する。可撓性シール材３は、環状側板２２の少なくとも１つの部分に周設され、インナー通路３１と給気口３２と排気口３３とを含み、給気口３２と排気口３３がインナー通路３１に気体連通し、且つ給気口３２が空気注入口２３に対応して気体連通する。
【００２４】
本実施例において、可撓性シール材３はＵ字形を呈することで、環状側板２２の下側及び左右両側に周設される。当然可撓性シール材３も実際の需要を見てＯ字形を呈すると共に環状側板２２の上下両側及び左右両側に全体に周設でき、或いは可撓性シール材３が環状側板２２の下側及び左右両側に周設される以外に、更に環状側板２２上側の小さい部分にのみ周設することもできる。
【００２５】
図２からも分かるように、上記環状側板２２は、少なくとも１個の丸まった角２２１を備え、端板２１が少なくとも１個のコーナー部２１１を備え、且つ少なくとも１個の丸まった角２２１と少なくとも１個のコーナー部２１１の位置とが互いに対応する。これ以外に、少なくとも１個のアングルプレート４０を更に含み、且つこの少なくとも１個のアングルプレート４０と少なくとも１個のコーナー部２１１の位置は互いに対応すると共に輪郭が少なくとも１個の丸まった角２２１に対応し、同時に少なくとも１個のアングルプレート４０が環状側板２２上に構設する。また、少なくとも１個の封止部材４を更に含み、且つこの少なくとも１個の封止部材４は、輪郭が少なくとも１個の丸まった角２２１に対応するよう隣接すると共に端板２１と少なくとも１個のアングルプレート４０の間に挟設される。
【００２６】
詳細に言うと、本実施例において、環状側板２２は下側において２つの丸まった角２２１を備え、端板２１が下側において２つのコーナー部２１１を備え、２つのコーナー部２１１と２つの丸まった角２２１の位置とが各々互いに対応する。これ以外に、図２は２つのアングルプレート４０と２つの封止部材４を示し、２つの封止部材４がコーナー部２１１に摺動可能に設けられると共に輪郭が丸まった角２２１に対応するよう隣接（封止部材４が丸まった角２２１に対応する輪郭を有する）し、且つ２つの封止部材４が端板２１とアングルプレート４０の間に各々挟設される。
【００２７】
図４及び図５を同時に参照すると、図４は本考案の好ましい実施例１の使用状態を示す模式図で、図５が本考案の好ましい実施例１に係る可撓性シール材に空気を注入して膨張した様子を示す模式図である。また図２も一緒に参照しながら説明する。
【００２８】
使用時において、例えば大雨で冠水した時、エア充填式防水板１を住宅の玄関口８１に置き、また板体２の空気注入口２３を経由して空気を可撓性シール材３のインナー通路３１に注入することで、可撓性シール材３が空気注入により膨張させ、この場合可撓性シール材３が膨張して住宅の玄関口８１の壁８２に密着当接し、水密効果を形成することで水流を住宅の玄関口８１の外に止めることができる。
【００２９】
図に示すように、本実施例においてエアーボンベ６で空気を注入する。当然例えば手動空気入れ機のような他の方式で空気を注入することもできる。
【００３０】
上述のように、可撓性シール材３に空気を注入することによりパッキング手段を形成すると共にこれを通じて水密効果を奏することができる。言い換えると、簡単な構造を利用すると、水密効果を奏することができ、複雑なパッキング手段を使用する必要がなく、且つ使用上、防水板フレームを組み合わせて使用する必要がなく、工具を使用することなく迅速且つ簡単に据え付けることができる。これ以外に、壁８２の不陸箇所について、可撓性シール材３に空気を注入して膨張した後も埋め込むことで水密効果を十分奏することができる（壁８２は、完全な平坦面を必要としないことができる）。
【００３１】
使用しない時、エア充填式防水板１は直接且つ簡単に収納されることができ、つまり必要がある時に据え付けて使用できるため、スペースを取らず、人々の住宅の玄関口８１に出入りすることも便利である。
【００３２】
更に同時に図２と図４を参照すると、また使用時、可撓性シール材３に空気を注入して膨張した後封止部材４に密着当接すると共に封止部材４の摺動を押進し、この構造設計を利用して可撓性シール材３と封止部材４を壁８２との間の隣接インターフェースに十分埋め込まれ、相対的により一層水密効果を奏することができる。
【００３３】
上記封止部材４の摺動構造は、本実施例において次の方式で達成し、つまりコーナー部２１１に複数の案内溝２１２（数量を制限しない）を開設し、封止部材４が複数の案内部材４１（数量を制限しない）により案内溝２１２に摺動可能に設けられ、案内部材４１は例えばボルトとすることができる。
【００３４】
また図２と図３から分かるように、上記端板２１には少なくとも１個のリブ２１３を形成し、図２と図３内に複数のリブ２１３が示される。この構造設計を通じて、エア充填式防水板１自体の耐衝撃強度を強化できる以外に、水流波浪の衝撃を除去できる。
【００３５】
このほかに、本実施例において空気注入口２３は環状側板２２に開設される、当然実際の需要を見て設計位置を変更できる。また本実施例においてキャップ７で空気注入口２３を覆うことで、空気注入口２３の汚れと異物侵入を防止できる。
【００３６】
また、更に圧力計５を使用でき、圧力計５が環状側板２２に設けられると共にインナー通路３１に気体連通する。これを通じて、可撓性シール材３内の気体圧力が十分あるかどうかを知ることができる。
【００３７】
更に、本実施例においてなお複数の飾り板４２（数量を制限しない）を使用し、例えばストリップ状、長方形等で、環状側板２２上に各々構設され、こうするとエア充填式防水板１をより一層美観させることができる。
【００３８】
図４は本実施例においてエアーボンベ６で空気を注入することを説明し、このエアーボンベ６の数量は複数で、またエア充填式防水板１内に備え付ける。
【００３９】
図６を参照すると、本考案の好ましい実施例１の備え付け様子を示す模式図である。図６において板体２は収容空間２４を有し、１個或いは複数のエアーボンベ６が収容空間２４に備え付けることを示す。また封止部材４もこの収容空間２４に備え付けることができ、且つ長方形の飾り板４２はこの収容空間２４を覆う。
【００４０】
また図３に示すように、板体２には把持用開口部２５を開設する。これを通じて、人にエア充填式防水板１を持ち上げることや持ち下げやすい。
【００４１】
図７を参照すると、本考案の好ましい実施例２の使用状態を示す模式図である。図７においてエア充填式防水板１も例えば子供、ペットの防護安全ドアとして使用できることを示し、つまりエア充填式防水板１は他の用途に使用し、使用上の機能性を増やすことができる。
【００４２】
図８を参照すると、本考案の好ましい実施例３の使用状態を示す模式図である。図８においてエア充填式防水板１は、使用しない時簡単に収納する以外に、デザインの美観により例えば壁掛装飾品のような装飾品として使用して美観性を増加できる。
【００４３】
以上、本考案を詳細に説明したが、以上の述べるものは本考案の好ましい実施例のみであって、本考案はそのような具体例にのみ限定して狭義に解釈されるべきものではなく、本考案の精神と原則とから外れることなく行う種々の改良変更・交換をなし得ることは本考案の保護範囲内に含めるものであるのが勿論である。
【符号の説明】
【００４４】
１      エア充填式防水板
２      板体
２１    端板
２１１        コーナー部
２１２        案内溝
２１３        リブ
２２    環状側板
２２１        丸まった角
２３    空気注入口
２４    収容空間
２５    把持用開口部
３      可撓性シール材
３１    インナー通路
３２    給気口
３３    排気口
４      封止部材
４０    アングルプレート
４１    案内部材
４２    飾り板
５      圧力計
６      エアーボンベ
７      キャップ
８１    住宅の玄関口
８２    壁
９      防水板
９１    防水板フレーム
【図１】
0003199920.tif 000003
【図２】
0003199920.tif 000004
【図３】
0003199920.tif 000005
【図４】
0003199920.tif 000006
【図５】
0003199920.tif 000007
【図６】
0003199920.tif 000008
【図７】
0003199920.tif 000009
【図８】
0003199920.tif 000010